(57)【要約】      （修正有）【課題】タモ網を釣り人と共に移動させるためであって、タモ網が腰ベルトに対して上下に移動することなく確りと安定保持できる保持具を提供する。【解決手段】保持具４は、タモ網１の柄２に当てがわれる当て材５と、該当て材５に一体的に設けられ、釣り人の腰ベルトに抜き差し自在に差し込むためのフック部７と、前記当て材５を柄２に着脱自在に止着するため柄２に掛け回した状態で弾性状に支持する止着ベルト８とを備えて構成し、柄が上下にズレることなく保持できるようにした。【選択図】図３
0003150924.tif 000002
【実用新案登録請求の範囲】
【請求項１】
柄付き釣具の保持具であって、該保持具は、柄に当てがわれる当て材と、該当て材に一体的に設けられ、釣り人の腰ベルトに抜き差し自在に差し込むためのフック部と、前記当て材を柄に着脱自在に止着するため柄に掛け回した状態で支持される止着ベルトとを備えて構成されていることを特徴とする獲物取り込み用釣具の保持具。
【請求項２】
フック部は、当て材の一端に基端が一体的に設けられた逆Ｊ字形をしていることを特徴とする請求項１記載の獲物取り込み用釣具の保持具。
【請求項３】
止着ベルトは、基端が当て材に一体的に固定され、柄に強制引っ張りして掛け回しした状態で先端部に形成した係止孔を当て材に突設した係止突起に貫通係止されるゴムベルトであることを特徴とする請求項１または２記載の獲物取り込み用釣具の保持具。
【請求項４】
止着ベルトは、基端が当て材に一体的に固定され、柄に掛け回しした状態で先端部を当て材に止着できる面ファスナーを備えた帯状紐を用いて構成されていることを特徴とする請求項１または２記載の獲物取り込み用釣具の保持具。
【請求項５】
帯状紐は弾性伸縮できるようになっていることを特徴とする請求項４記載の獲物取り込み用釣具の保持具。
【請求項６】
フック部は、差し込み先端側ほど当て材から離間していることを特徴とする請求項１乃至５の何れか１記載の獲物取り込み用釣具の保持具。
【考案の詳細な説明】
【技術分野】
【０００１】
本考案は、タモ網やギャフのように獲物取り込み用釣具の保持具の技術分野に属するものである。
【背景技術】
【０００２】
一般に、釣りを行う場合、大物が釣れたとき等において獲物をギャフやタモ網のように獲物取り込み用釣具を使って取り込むことが行われる。このような釣りにおいて、磯や防波堤等での釣りの場合、ポイントを足で移動しながら釣りをすることがあり、このような場合に、獲物取り込み用釣具を移動前箇所においたままの状態であると、該移動した箇所で大物が釣れたとき、取り込み用釣具が離れていることがあり、このため取り込み用釣具の使用ができず大物を確実に取り込めないことがある。そこで釣り人は、このような取り込み用釣具を一緒に移動させることが必要になるが、釣竿と共にこれら取り込み用釣具を手で持っていちいち移動するのは面倒かつ煩雑であるうえ、移動したポイントに取り込み用釣具を持ってきたとしても、いつも取り込み用釣具が釣り人の近くにあるとはかぎらず、このため咄嗟のときに取り込み用釣具の調達が間に合わないことが有る。
そこで釣り人のなかには、腰ベルトに取り込み用釣具の柄を差し込んでいつでも一緒に移動できるようにし、そして大物が釣れたとき柄を腰ベルトから引き抜いて取り込み用釣具を用いて取り込むことがあるが、このような取り込み用釣具は、従来、単なる柄の腰ベルトへの差し込みであったが、柄の先端に設けられるタモ網やギャフが重いため、柄の腰ベルトへの差し込みが浅いと網体等が下向きに垂れ下がり気味になって安定性に欠けるという問題がある。これに対し柄の差し込みを深くすると、海で使うような柄が仕舞いこみ式（入り子継手式）のものであっても、仕舞いこみ寸法が数十センチメートルと長いため、引き抜きづらくなるだけでなく、移動するとき足に纏わり付いたりして邪魔になり、そこでバランスの良いところまで引き上げることになるが、釣りをしているうちに柄が自重で深い差し込みになってしまい、その度に柄を引き上げるという動作を繰り返すことになって面倒かつ煩雑になる。
そこで取り込み用釣具を釣り人の体に保持具を介して保持した状態にしておき、大物が釣れたら該保持している取り込み用釣具を取り外して使用するようにしたものが知られている（特許文献１、２）。
【先行技術文献】
【特許文献】
【０００３】
【特許文献１】特開平１０−２４８４６２号公報
【特許文献２】実用新案登録第３０５３７３４号公報
【考案の概要】
【考案が解決しようとする課題】
【０００４】
ところが前記特許文献１のものは、釣り人の腰ベルトに、取り込み用釣具の柄が出没自在に入る貫通孔付きのホルダを取り付けたものであるが、このものは、柄が先端まで深く貫通することになり、このため前述したように柄の仕舞い込み寸法が長いものでは引き抜きづらいうえに邪魔になるという問題があるだけでなく、網部に近い柄の上端深くまで柄が入り込んでいるため柄の把持がしづらく、このため網体を掴んで引き抜くことが多く、このとき、仕舞い込まれた柄がそのまま延びてしまって引き抜けない場合が発生するという問題が有る。
一方、特許文献２のものは、背中に設けた保持突起に、網枠に設けた輪体を係脱自在に係止するものであるが、輪体を保持金具に係止しようとしたとき、背中での作業であるため難しいだけでなく、輪体が網枠の内側に折れた状態になったときには係止できないことになるだけでなく、柄付き釣具が背中でブラブラと不安定に揺れるという問題があり、これらに本考案の解決すべき課題がある。
【課題を解決するための手段】
【０００５】
本考案は、上記の如き実情に鑑みこれらの課題を解決することを目的として創作されたものであって、請求項１の発明は、柄付き釣具の保持具であって、該保持具は、柄に当てがわれる当て材と、該当て材に一体的に設けられ、釣り人の腰ベルトに抜き差し自在に差し込むためのフック部と、前記当て材を柄に着脱自在に止着するため柄に掛け回した状態で支持される止着ベルトとを備えて構成されていることを特徴とする獲物取り込み用釣具の保持具である。
請求項２の発明は、フック部は、当て材の一端に基端が一体的に設けられた逆Ｊ字形をしていることを特徴とする請求項１記載の獲物取り込み用釣具の保持具である。
請求項３の発明は、止着ベルトは、基端が当て材に一体的に固定され、柄に強制引っ張りして掛け回しした状態で先端部に形成した係止孔を当て材に突設した係止突起に貫通係止されるゴムベルトであることを特徴とする請求項１または２記載の獲物取り込み用釣具の保持具である。
請求項４の発明は、止着ベルトは、基端が当て材に一体的に固定され、柄に掛け回しした状態で先端部を当て材に止着できる面ファスナーを備えた帯状紐を用いて構成されていることを特徴とする請求項１または２記載の獲物取り込み用釣具の保持具である。
請求項５の発明は、帯状紐は弾性伸縮できるようになっていることを特徴とする請求項４記載の獲物取り込み用釣具の保持具である。
請求項６の発明は、フック部は、差し込み先端側ほど当て材から離間していることを特徴とする請求項１乃至５の何れか１記載の獲物取り込み用釣具の保持具である。
【考案の効果】
【０００６】
請求項１の考案とすることにより、保持具を釣り人個人に合わせた柄の最適部位に取り付け、そしてフック部を腰ベルトに単に差し込むだけで、取り込み用釣具は上下にズレることがない確りとした安定保持ができ、そして使用時には、柄を把持しての瞬間的な引き抜きができることになって操作性に優れたものになる。
請求項２の考案とすることにより、さらにフック部の腰ベルトに差し込む部分が長くなって安定した保持ができることになる。
請求項３、４または５の発明とすることにより、柄の保持が簡単でかつ確実となる。
請求項６の考案とすることにより、フック部の腰ベルトへの差し込みが容易になる。
【図面の簡単な説明】
【０００７】
【図１】保持具の正面側から見た斜視図である。
【図２】保持具の背面側から見た斜視図である。
【図３】保持具を柄に保持した状態を示す斜視図である。
【図４】タモ網を腰ベルトの指した状態を示す使用状態図である。
【図５】第二の実施の形態の保持具の斜視図である。
【考案を実施するための形態】
【０００８】
次ぎに、本考案の実施の形態について、図面を用いて説明する。図面において、１は獲物取り込み用釣具の一例であるタモ網であって、該タモ網１は、仕舞い込み式（入り子継手式）の柄２と、該柄２の先端に螺合等の着脱手段によって着脱自在になった網体３とを用いて構成された従来どおりのものであって、その詳細については省略する。
【０００９】
４は本考案が実施された保持具であって、該保持具４は、前記柄２に当てがわれる当て材５と、該当て材５に一体的に設けられ、釣り人の腰ベルト６に抜き差し自在に差し込むためのフック部７と、前記当て材５を柄２に着脱自在に止着するための止着ベルト８とを用いて構成されている。
【００１０】
前記本実施の形態の保持具４を構成する当て材５は、柄２の円筒外周面形状に沿うよう湾曲した板材から構成され、その一端（上端）には、側面視で逆Ｊ字形に折曲したフック部７の基端７ａが一体的に設けられている。そしてフック部７の当て材５と間隙を存して対向するフック本体７ｂは、釣り人の腰ベルト６に抜き差し自在に差し込むことができるようになっているが、フック本体７ｂは、先端側（差し込み先端側）ほど当て材５から離間するようになっていて、腰ベルト６への差し込み操作がしやすいように配慮されている。
【００１１】
一方、止着ベルト８は、本実施の形態では弾性のあるゴムベルトを用いて構成されているが、その基端８ａが前記当て材５に一体的に固定され、前記柄２に強制引っ張りして掛け回しした状態でベルト先端部８ｃに形成した係止孔８ｂを、当て材５のフック本体７ｂ対向面に突設した係止突起８ｃに貫通係止することで、柄２を当て材５に一体化した状態で支持できるように構成されている。
そして保持具４は、斯かる柄２が一体化された状態でフック本体７ｂを腰ベルト６に対して、網本体３が上側に向くよう差し込むことで、タモ網１の上下に位置ズレすることがない確りとした姿勢で安定保持ができるようになっている。そして保持具４を柄２の先端部よりも下位置で支持したときには、タモ網１を腰ベルト６に保持したとき、柄２の先端部が保持具４よりも上に位置した露出状態での保持ができるため、タモ網１を使用するには、この柄２の先端部２ａを把持してフック部７を腰ベルト６から引き抜くことで、網体２を引っ張った場合のように仕舞い込みが解かれることなく柄２の確実な引き抜きができ、その後、仕舞い込みを振り出してタモ網１として使用できるようになっている。
【００１２】
叙述のごとく構成された本考案の実施の形態において、タモ網１は、釣り人個人の最も操作しやすい位置に保持具４を止着した状態でフック部７を腰ベルト６の背中側部位に差し込むことで、邪魔になることなく釣り人がタモ網１と共に移動できることになるが、その場合に、保持具４は、止着ベルト８を弾性的に引き伸ばした弾持状態で掛けまわしたものであるため、柄２の保持具４による保持位置が上下にズレることがなく、安定したタモ網１の保持ができる。
【００１３】
そしてこのように保持具４を介して保持されたタモ網１を使用する場合、柄２の保持具４よりも上側部分を把持して引き抜けばよく、これによって柄２の仕舞い込みが不用意に解かれてしまうことが無く、仕舞い込み状態を維持したままの円滑な引き抜きができ、咄嗟の使用が可能になる。
【００１４】
尚、本発明は前記実施の形態に限定されるものでないことは勿論であって、獲物取り込み用釣具としてはタモ網に限定されることなく、ギャフやモリのように柄が設けられる獲物取り込み用釣具であればよく、さらには図５に示す第二の実施の形態のように、止着ベルトとして、基端が当て材５に一体的に固定され、柄２に掛け回しした状態で先端部を当て材に止着できる面ファスナー９、９ａを備えた帯状紐１０を用いて構成することができ、この場合に、帯状紐１０は弾性伸縮できるように構成することが柄２の保持が確実となって好ましい。
【産業上の利用可能性】
【００１５】
本考案は、釣りをする場合において、タモ網やギャフのような取り込み用釣具を、移動する釣り人の腰ベルトに差し込み保持するための保持具を提供できるという産業上の利用可能性がある。
【符号の説明】
【００１６】
１    タモ網
２    柄
４    保持具
５    当て材
６    腰ベルト
７    フック部
８    止着ベルト
【図１】
0003150924.tif 000003
【図２】
0003150924.tif 000004
【図３】
0003150924.tif 000005
【図４】
0003150924.tif 000006
【図５】
0003150924.tif 000007